(57)【要約】【課題】撓みを抑制できる照明用光源を提供する。【解決手段】照明器具に取り付けられる照明用光源１であって、長尺状の第１光源体１０と、長尺状の第２光源体２０と、照明器具に固定され、第１光源体１０と第２光源体２０とを連結する連結部材３０とを備え、第１光源体１０は、ＬＥＤと、第１口金１２及び第２口金１３とを有し、第２光源体２０は、ＬＥＤと、第１口金２２及び第２口金２３とを有し、第１光源体１０の第１口金１２及び第２光源体２０の第１口金２２は、連結部材３０を挟むように連結部材３０に取り付けられており、第１光源体１０の第２口金１３及び第２光源体２０の第２口金２３は、照明器具に取り付けられる。【選択図】図２
2014110229.tif 000002
【特許請求の範囲】
【請求項１】
照明器具に取り付けられる照明用光源であって、
長尺状の第１光源体と、
長尺状の第２光源体と、
前記第１光源体と前記第２光源体とを連結する連結部材とを備え、
前記第１光源体及び前記第２光源体の各々は、発光素子と、第１口金及び第２口金とを有し、
前記第１光源体の前記第１口金及び前記第２光源体の前記第１口金は、前記連結部材を挟むように前記連結部材に装着されており、
当該照明用光源が前記照明器具に取り付けられた状態において、前記連結部材は前記照明器具に固定されるとともに、前記第１光源体の前記第２口金及び前記第２光源体の前記第２口金は前記照明器具に取り付けられる
照明用光源。
【請求項２】
前記連結部材は、前記第１光源体と前記第２光源体とを保持する保持部と、前記照明器具に固定される長尺状の固定部とを有する
請求項１に記載の照明用光源。
【請求項３】
前記第１光源体及び前記第２光源体における前記第１口金には、一対の第１口金ピンが設けられており、
前記第１光源体及び前記第２光源体における前記第２口金には、一対の第２口金ピンが設けられており、
前記第１光源体及び前記第２光源体における前記第１口金の前記一対の第１口金ピンは、前記連結部材に接続され、
前記第１光源体及び前記第２光源体における前記第２口金の前記一対の第２口金ピンは、前記照明器具のソケットに接続される
請求項１又は２に記載の照明用光源。
【請求項４】
前記第１光源体及び前記第２光源体における前記第１口金の前記一対の第１口金ピンの長さは、前記第１光源体及び前記第２光源体における前記第２口金の前記一対の第２口金ピンの長さよりも短い
請求項３に記載の照明用光源。
【請求項５】
前記第２光源体における前記第１口金の前記一対の第１口金ピンの間隔は、前記第１光源体における前記第１口金の前記一対の第１口金ピンの間隔よりも狭い
請求項３又は４に記載の照明用光源。
【請求項６】
前記第１光源体及び第２光源体の少なくとも一方において、前記第１口金の形状と前記第２口金の形状とが異なる
請求項１〜５のいずれか１項に記載の照明用光源。
【請求項７】
前記保持部は、前記第１光源体の前記第１口金と前記第２光源体の前記第１口金とで挟まれており、
前記第１光源体の前記第１口金と前記第２光源体の前記第１口金と前記保持部との合計の長さは、前記第１光源体及び前記第２光源体の少なくとも一方の前記第２口金の長さと略等しい
請求項２に記載の照明用光源。
【請求項８】
前記保持部に、人感センサ又は常時発光する発光素子が設けられている
請求項２に記載の照明用光源。
【請求項９】
請求項１〜８のいずれか１項に記載の照明用光源と、
前記照明器具とを備え、
前記連結部材は、前記照明器具に固定されている
照明装置。
【発明の詳細な説明】
【技術分野】
【０００１】
本発明は、照明用光源及び照明装置に関し、特に、発光ダイオード（ＬＥＤ：Ｌｉｇｈｔ  Ｅｍｉｔｔｉｎｇ  Ｄｉｏｄｅ）等の発光素子を有するＬＥＤランプ及びこれを備えた照明装置に関する。
【背景技術】
【０００２】
ＬＥＤは、高効率及び長寿命であることから、様々な製品の光源として用いられている。中でも、ＬＥＤを用いたランプ（ＬＥＤランプ）は、従来から知られる蛍光灯や白熱電球等に代替する照明用光源として研究開発が進められている。例えば、直管形蛍光灯に代替する照明用光源として、直管形ＬＥＤランプが提案されている（例えば、特許文献１）。
【先行技術文献】
【特許文献】
【０００３】
【特許文献１】特開２００９−０４３４４７号公報
【発明の概要】
【発明が解決しようとする課題】
【０００４】
直管形ＬＥＤランプは、例えば、ガラス管等の透光性を有する長尺状の筐体と、筐体の長手方向の両端部に設けられた一対の口金とを備えている。筐体の内部には、光源として、長尺状のＬＥＤモジュールが配置されている。ＬＥＤモジュールは、長尺状の基板と、当該基板上に一列に実装された複数のＬＥＤとによって構成されている。
【０００５】
しかしながら、直管形ＬＥＤランプは長尺状であることから、自重によって撓むという問題がある。例えば、ユーザが直管形ＬＥＤランプを照明器具に装着する場合等で、ユーザが直管形ＬＥＤランプの一方の端部を持ったときに、自重によって他方の端部が落ち込んで撓んでしまうという場合がある。また、直管形ＬＥＤランプを照明器具に装着した後であっても、自重によって長尺状の筐体の中央部が落ち込むようにして撓んでしまう場合もある。特に、１１０形の直管形ＬＥＤランプは全長が約２３６７ｍｍにもなることから、撓みが発生しやすい。このように筐体が撓んでしまうと、筐体に歪が生じるという問題がある。
【０００６】
本発明は、このような問題を解決するためになされたものであり、撓みを抑制できる照明用光源及び照明装置を提供することを目的とする。
【課題を解決するための手段】
【０００７】
上記目的を達成するために、本発明に係る照明用光源の一態様は、照明器具に取り付けられる照明用光源であって、長尺状の第１光源体と、長尺状の第２光源体と、前記第１光源体と前記第２光源体とを連結する連結部材とを備え、前記第１光源体及び前記第２光源体の各々は、発光素子と、第１口金及び第２口金とを有し、前記第１光源体の前記第１口金及び前記第２光源体の前記第１口金は、前記連結部材を挟むように前記連結部材に装着されており、当該照明用光源が前記照明器具に取り付けられた状態において、前記連結部材は前記照明器具に固定されるとともに、前記第１光源体の前記第２口金及び前記第２光源体の前記第２口金は前記照明器具に取り付けられることを特徴とする。
【０００８】
また、本発明に係る照明用光源の一態様において、前記連結部材は、前記第１光源体と前記第２光源体とを保持する保持部と、前記照明器具に固定される長尺状の固定部とを有していてもよい。
【０００９】
また、本発明に係る照明用光源の一態様において、前記第１光源体及び前記第２光源体における前記第１口金には、一対の第１口金ピンが設けられており、前記第１光源体及び前記第２光源体における前記第２口金には、一対の第２口金ピンが設けられており、前記第１光源体及び前記第２光源体における前記第１口金の前記一対の第１口金ピンは、前記連結部材に接続され、前記第１光源体及び前記第２光源体における前記第２口金の前記一対の第２口金ピンは、前記照明器具のソケットに接続されるように構成してもよい。
【００１０】
また、本発明に係る照明用光源の一態様において、前記第１光源体及び前記第２光源体における前記第１口金の前記一対の第１口金ピンの長さは、前記第１光源体及び前記第２光源体における前記第２口金の前記一対の第２口金ピンの長さよりも短くすることが好ましい。
【００１１】
また、本発明に係る照明用光源の一態様において、前記第２光源体における前記第１口金の前記一対の第１口金ピンの間隔は、前記第１光源体における前記第１口金の前記一対の第１口金ピンの間隔よりも狭いことが好ましい。
【００１２】
また、本発明に係る照明用光源の一態様において、前記第１光源体及び第２光源体の少なくとも一方において、前記第１口金の形状と前記第２口金の形状とが異なるように構成してもよい。
【００１３】
また、本発明に係る照明用光源の一態様において、前記保持部は、前記第１光源体の前記第１口金と前記第２光源体の前記第１口金とで挟まれており、前記第１光源体の前記第１口金と前記第２光源体の前記第１口金と前記保持部との合計の長さは、前記第１光源体及び前記第２光源体の少なくとも一方の前記第２口金の長さと略等しくてもよい。
【００１４】
また、本発明に係る照明用光源の一態様において、前記保持部に、人感センサ又は常時発光する発光素子が設けられていてもよい。
【００１５】
また、本発明に係る照明装置の一態様は、上記いずれかの照明用光源と、照明器具とを備え、連結部材は、照明器具に固定されていることを特徴とする。
【発明の効果】
【００１６】
本発明によれば、長尺状であっても撓みを抑制できる照明用光源及び照明装置を実現できる。
【図面の簡単な説明】
【００１７】
【図１】図１は、本発明の実施の形態１に係る照明用光源の外観斜視図である。
【図２】図２（ａ）は、本発明の実施の形態１に係る照明用光源の上面図であり、図２（ｂ）は、同照明用光源の側面図である。
【図３Ａ】図３Ａは、本発明の実施の形態１に係る照明用光源の第１光源体に用いられるＬＥＤモジュールの斜視図である。
【図３Ｂ】図３Ｂは、本発明の実施の形態１に係る照明用光源に用いられるＬＥＤモジュールの変形例の斜視図である。
【図４】図４は、本発明の実施の形態１に係る照明装置の側面図である。
【図５】図５は、本発明の実施の形態２に係る照明用光源及び照明装置の側面図である。
【図６】図６は、本発明の変形例に係る照明用光源の部分側面図である。
【図７】図７は、本発明の他の実施の形態に係る照明用光源に用いられる第１光源体及び第２光源体の全体斜視図及び一部拡大図である。
【発明を実施するための形態】
【００１８】
以下、本発明の実施の形態に係る照明用光源及び照明装置について、図面を参照しながら説明する。なお、以下に説明する実施の形態は、いずれも本発明の好ましい一具体例を示すものである。したがって、以下の実施の形態で示される数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１９】
なお、各図は、模式図であり、必ずしも厳密に図示されたものではない。また、各図において、同じ構成部材については同じ符号を付している。
【００２０】
（実施の形態１）
以下、本発明の実施の形態１に係る照明用光源１及び照明装置２について説明する。
【００２１】
（照明用光源）
まず、本発明の実施の形態１に係る照明用光源１の全体構成について、図１及び図２を用いて説明する。図１は、本発明の実施の形態１に係る照明用光源の外観斜視図である。また、図２（ａ）は、本発明の実施の形態１に係る照明用光源の上面図であり、図２（ｂ）は、同照明用光源の側面図である。なお、図２（ａ）では、連結部材の固定部を透視した状態を示している。
【００２２】
本実施の形態に係る照明用光源１は、発光素子としてＬＥＤを用いたＬＥＤランプの一例であって、連結部材３０によって照明器具（不図示）に固定される。
【００２３】
照明用光源１は、図１、図２（ａ）及び図２（ｂ）に示すように、ＬＥＤを有する長尺状の第１光源体１０と、ＬＥＤを有する長尺状の第２光源体２０と、第１光源体１０と第２光源体２０とを連結する連結部材３０とを備える。照明用光源１の長さは、例えば、１１０形の直管形蛍光灯又は直管形ＬＥＤランプと同等である。
【００２４】
第１光源体１０及び第２光源体２０は、従来の直管形蛍光灯に代替する直管形ＬＥＤランプである。本実施の形態において、第１光源体１０と第２光源体２０とは同じ長さであり、例えば４０形直管形蛍光灯又は４０形直管形ＬＥＤランプと同等の長さのものを用いることができる。
【００２５】
第１光源体１０は、長尺状の筐体１１と、筐体１１の長手方向の両端部に設けられた第１口金１２及び第２口金１３と、筐体１１内に配置された長尺状のＬＥＤモジュール１４とを有する。なお、ＬＥＤモジュール１４は、１つだけ配置されていてもよいし、複数配置されていてもよい。ＬＥＤモジュール１４を複数配置する場合、隣り合うＬＥＤモジュール１４は、コネクタ線等によって電気的に接続される。
【００２６】
第１光源体１０は、長手方向の一方の端部が連結部材３０に取り付けられており、長手方向の他方の端部が照明器具（不図示）に取り付けられる。具体的には、第１口金１２が連結部材３０に装着され、第２口金１３が照明器具のソケットに接続されて固定される。
【００２７】
また、第２光源体２０は、長尺状の筐体２１と、筐体２１の長手方向の両端部に設けられた第１口金２２及び第２口金２３と、筐体２１内に配置された長尺状のＬＥＤモジュール２４とを有する。なお、第１光源体１０と同様に、ＬＥＤモジュール２４は、１つだけ配置されていてもよいし、複数配置されていてもよい。
【００２８】
第２光源体２０は、第１光源体１０と同様に、長手方向の一方の端部が連結部材３０に取り付けられており、長手方向の他方の端部が照明器具（不図示）に取り付けられる。具体的には、第１口金２２が連結部材３０に装着され、第２口金２３が照明器具のソケットに接続されて固定される。
【００２９】
本実施の形態において、連結部材３０に装着される第１口金１２及び２２は非給電用口金であり、照明器具のソケットに装着される第２口金１３及び２３は給電用口金である。つまり、第１光源体１０及び第２光源体２０は、いずれも片側給電方式となっている。
【００３０】
なお、第１光源体１０（第２光源体２０）は、その他に、ＬＥＤモジュール１４（２４）が配置される金属基台（ヒートシンク）、及び、ＬＥＤモジュール１４（２４）に電力を供給する点灯回路等を備える。
【００３１】
連結部材（ジョイント）３０は、第１光源体１０の長手方向の一方の端部と第２光源体２０の長手方向の一方の端部とを連結する。また、連結部材３０は、照明器具に固定されており、連結した第１光源体１０及び第２光源体２０を保持する。連結部材３０は、例えば、金属や樹脂によって構成することができる。
【００３２】
本実施の形態における連結部材３０は、第１光源体１０と第２光源体２０とを保持する保持部３１と、照明器具に固定される固定部３２とを有する。保持部３１は、固定部３２に固定されている。
【００３３】
保持部３１は、第１光源体１０における第１口金１２と第２光源体２０における第１口金２２とを連結するとともに、当該第１口金１２及び２２を保持する。つまり、第１口金１２と第１口金２２とは、保持部３１を介して対向配置されている。これにより、第１光源体１０及び第２光源体２０は、保持部３１を介して一直線状となるように連結部材３０に保持される。
【００３４】
保持部３１は、例えば、板状部材のソケットであり、一方の面には第１口金１２の第１口金ピン１２ｂを係止する係止穴が設けられ、他方の面には第１口金１２の第１口金ピン１２ｂを係止する係止穴が設けられている。
【００３５】
固定部３２は、照明器具との接続部分であり、例えば板状部材で構成することができる。本実施の形態における固定部３２は、第１光源体１０の第２口金１３から第２光源体２０の第２口金２３にわたって長尺状に構成されている。
【００３６】
また、固定部３２には複数のネジ孔３２ａが設けられている。固定部３２と照明器具とは、ネジ孔３２ａにネジをねじ込むことで固定される。固定部３２を照明器具に固定することで、第１光源体１０及び第２光源体２０が照明器具に取り付け可能となる。
【００３７】
なお、連結部材３０の内部には、ＬＥＤモジュール１４及び２４を駆動等するための種々の回路等の電子部品が内蔵されていてもよい。当該電子部品は、例えば、固定部３２の内部に配置することができる。電子部品としては、ＬＥＤモジュール１４及び２４を点灯させるための点灯回路、調光回路又は人感センサ等がある。特に、両側給電方式の場合は、連結部材３０に点灯回路等の電源回路を配置してもよい。
【００３８】
また、連結部材３０は、第１光源体１０及び第２光源体２０を保持する機能に加えて、ヒートシンクとしても機能する。したがって、連結部材３０の保持部３１及び固定部３２は、金属等の高熱伝導材料を用いることが好ましい。連結部材３０を高熱伝導材料によって構成することにより、第１光源体１０及び第２光源体２０の熱を、第１口金１２及び２２を介して連結部材３０へと効率良く放熱させることができる。連結部材３０に伝導した熱は、連結部材３０の露出面から大気中に放熱、又は、照明器具を介して放熱される。なお、放熱性向上の観点からは連結部材３０の表面積は大きい方が好ましく、例えば固定部３２を本実施の形態のように長尺状に構成することで放熱性を向上させることができる。
【００３９】
但し、連結部材３０に回路を内蔵する場合は、絶縁性を確保するために、少なくとも回路を内蔵する部分の連結部材３０は樹脂によって構成することが好ましい。
【００４０】
以下、照明用光源１における第１光源体１０及び第２光源体２０の各構成部材について、図１及び図２を参照しながら説明する。
【００４１】
（筐体）
筐体１１（２１）は、長尺状の透光カバーの一例であって、図２（ｂ）に示すように、ＬＥＤモジュール１４（２４）を覆うように構成されている。本実施の形態における筐体１１及び２１は、透光性を有する直管（チューブ）であり、両端部に開口を有する長尺筒状の外郭部材（挿通管）である。筐体１１（２１）には、ＬＥＤモジュール１４（２４）の他に、ＬＥＤモジュールが載置される基台や点灯回路も収納される。
【００４２】
筐体１１及び２１は、透光性材料によって構成することができ、ガラス材からなるガラス管（ガラスバルブ）、又は、アクリルやポリカーボネート等の樹脂材料からなるプラスチック管等を用いることができる。本実施の形態における筐体１１及び２１は、ガラス管であって、４０形の直管形ＬＥＤランプ（又は直管形蛍光ランプ）に用いられるガラス管と同じものを用いている。
【００４３】
また、筐体１１（２１）に光拡散部を設けてもよい。これにより、ＬＥＤモジュール１４（２４）から放射された光を、筐体１１（２１）を通過する際に拡散させることができる。光拡散部としては、例えば、筐体１１（２１）の内面又は外面に形成された光拡散シート又は光拡散膜等がある。具体的には、シリカや炭酸カルシウム等の光拡散材（微粒子）を含有する樹脂や白色顔料を筐体１１（２１）の内面又は外面に付着させることで、乳白色の光拡散膜を形成することができる。その他の光拡散部として、筐体１１（２１）の内部又は外部に設けられたレンズ構造物、あるいは、筐体１１（２１）に形成された凹部又は凸部がある。例えば、筐体１１（２１）の内面又は外面にドットパターンを印刷したり、筐体１１（２１）の一部を加工したりすることで、筐体１１（２１）に光拡散機能を持たせることもできる。あるいは、筐体１１（２１）そのものを、光拡散材が分散された樹脂材料等を用いて成形することで、筐体１１（２１）に光拡散機能を持たせることもできる。
【００４４】
（第１口金）
第１光源体１０における第１口金１２と第２光源体２０における第１口金２２とは、連結部材３０の保持部３１に取り付けられる。本実施の形態では、第１口金１２と第１口金２２とは、保持部３１を挟むようにして保持部３１に取り付けられる。
【００４５】
第１口金１２（２２）は、筐体１１（２１）の長手方向の一方の端部を蓋するように構成されており、ポリブチレンテレフタレート（ＰＢＴ）等の合成樹脂からなる略有底円筒形状の第１口金本体１２ａ（２２ａ）と、金属材料等からなる導電性の一対の第１口金ピン１２ｂ（２２ｂ）とからなる。
【００４６】
第１口金ピン１２ｂ（２２ｂ）は、第１口金本体１２ａ（２２ａ）から外方に向かって突出するように構成されている。第１口金ピン１２ｂ及び２２ｂは、例えばＧ１３口金に対応するものを用いることができる。
【００４７】
第１光源体１０の第１口金ピン１２ｂは、保持部３１の一方の面に設けられた係止穴に挿入して係止され、第２光源体２０の第１口金ピン２２ｂは、保持部３１の他方の面に設けられた係止穴に挿入して係止される。このように、第１口金ピン１２ｂ及び２２ｂを保持部３１の係止穴に係止させることによって、第１口金１２及び２２が保持部３１に保持される。
【００４８】
本実施の形態において、連結部材３０に装着される第１口金１２及び２２は、給電を行わない非給電用口金であるので、第１光源体１０及び第２光源体２０を連結部材３０に取り付けるための取り付け部として機能する。この場合、第１口金ピン１２ｂ及び２２ｂは、照明用光源１を連結部材３０に保持するためのピンとして機能する。
【００４９】
また、本実施の形態では、第１口金１２における一対の第１口金ピン１２ｂのピン間隔（ピン幅）と第１口金２２における一対の第１口金ピン２２ｂのピン間隔（ピン幅）とが異なっている。具体的には、第２光源体２０における第１口金ピン２２ｂのピン間隔が第１光源体１０における一対の第１口金ピン１２ｂのピン間隔よりも狭くなっており、第２光源体２０における一対の第１口金ピン２２ｂが、第１光源体１０における一対の第１口金ピン１２ｂの間に位置している。
【００５０】
このように構成することにより、照明用光源１の長手方向における保持部３１の幅を容易に短くすることができるので、保持部３１による遮光部分を小さくすることができる。すなわち、一対の第１口金ピン１２ｂのピン間隔と第１口金ピン２２ｂのピン間隔とが同じであると、一対の第１口金ピン１２ｂと一対の第１口金ピン２２ｂとが対向する。したがって、この場合、保持部３１の幅は第１口金ピン１２ｂの長さと第１口金ピン２２ｂの長さの合計よりも大きくしなければならない。これに対して、一対の第１口金ピン１２ｂのピン間隔及び一対の第１口金ピン２２ｂのピン間隔のいずれか一方を狭くすることで、狭くした方の一対のピンの間に広い方の一対のピンの間に配置することができる。これにより、保持部３１の幅を、第１口金ピン１２ｂ及び第１口金ピン２２ｂのうちの一方の長さとすることができるので、遮光部分となりうる保持部３１の幅を狭くすることができる。したがって、照明用光源１の配光特性が劣化することを抑制することができる。
【００５１】
なお、一対の第１口金ピン１２ｂのピン間隔と一対の第１口金ピン２２ｂのピン間隔とを同じにしても構わない。また、一対の第１口金ピン１２ｂと一対の第１口金ピン２２ｂとのピン間隔が同じであっても、一対の第１口金ピン１２ｂのピン間方向と一対の第１口金ピン２２ｂのピン間方向とを交差させるようにして第１口金１２と第１口金２２とを保持部３１に装着させることで、保持部３１の幅を狭くすることもできる。
【００５２】
また、本実施の形態では、第１口金１２及び２２における一対の第１口金ピン１２ｂ及び２２ｂの長さが、第２口金１３及び２３における一対の第２口金ピン１３ｂ及び２３ｂの長さよりも短くなっている。
【００５３】
このように構成することにより、照明用光源１の長手方向における保持部３１の幅を短くすることができるので、保持部３１による遮光部分を小さくすることができる。したがって、照明用光源１の配光特性が劣化することを抑制することができる。また、第１口金ピン１２ｂ及び２２ｂと第２口金ピン１３ｂ及び２３ｂの長さを変えることで、第１光源体１０（第２光源体２０）における第１口金１２（２２）と第２口金１３（２３）とを、誤って逆向きに装着することを防止できる。つまり、本来は連結部材３０（保持部３１）に装着すべき第１口金ピン１２ｂ及び２２ｂを、誤って照明器具のソケットに装着することを防止できる。逆に、本来は照明器具のソケットに装着すべき第２口金ピン１３ｂ及び２３ｂを、誤って連結部材３０（保持部３１）に装着してしまったりすることを防止できる。
【００５４】
なお、本実施の形態において、第１口金１２及び２２にアース機能を持たせてもよい。この場合、第１口金ピン１２ｂ及び２２ｂは、照明器具を介して接地されたアースピンとして機能し、筐体１１及び２２内部の金属製の基台とアース接続される。
【００５５】
また、本実施の形態では、第１口金１２及び２２を非給電用口金としたが、第２口金１３及び２３と同様に、第１口金１２及び２２も給電用口金としても構わない。つまり、第１光源体１０及び第２光源体２０を両側給電方式としても構わない。両側給電方式とする場合は、連結部材３０を利用して第１光源体１０及び第２光源体２０に給電を行うように構成することができる。例えば、連結部材３０に照明器具のソケットと同様の給電機能を持たせることができる。
【００５６】
（第２口金）
第１光源体１０における第２口金１３は、ＬＥＤモジュール１４を発光させるための電力をランプ外部から受電してＬＥＤモジュール１４への給電を行う給電用口金である。同様に、第２光源体２０における第２口金２３は、ＬＥＤモジュール２４を発光させるための電力をランプ外部から受電してＬＥＤモジュール２４への給電を行う給電用口金である。また、第２口金１３及び２３は、照明器具のソケットに装着され、照明用光源１を支持するように構成されている。
【００５７】
第２口金１３（２３）は、筐体１１（２１）の長手方向の他方の端部を蓋するように構成されており、ＰＢＴ等の合成樹脂からなる略有底円筒形状の第２口金本体１３ａ（２３ａ）と、金属材料等からなる一対の第２口金ピン１３ｂ（２３ｂ）とからなる。
【００５８】
第２口金ピン１３ｂ（２３ｂ）は、第２口金本体１３ａ（２３ａ）から外方に向かって突出するように構成されている。第２口金ピン１３ｂ及び２３ｂは、例えばＧ１３口金に対応するものを用いることができる。第１光源体１０の第２口金ピン１３ｂ及び第２光源体２０の第２口金ピン２３ｂの各々は、照明器具の一対のソケットの各々に取り付けられる。
【００５９】
第２口金ピン１３ｂ（２３ｂ）は、照明器具からＬＥＤモジュール１４（２４）を点灯させるための電力を受電する機能を有する。例えば、第２口金１３及び２３を照明器具のソケットに装着させることによって、一対の第２口金ピン１３ｂ及び２３ｂは照明器具に内蔵された電源装置から電力（交流電力又は直流電力）を受ける状態となる。
【００６０】
また、第２口金ピン１３ｂ及び２３ｂは、照明用光源１を照明器具に保持するためのピンとしても機能する。
【００６１】
なお、一対の第２口金ピン１３ｂ（２３ｂ）は、リード線によって筐体１１（２１）内の点灯回路と接続されており、一対の第２口金ピン１３ｂ（２３ｂ）が受電した電力は点灯回路に供給される。この場合、第２口金ピン１３ｂ（２３ｂ）が交流電力を受電する場合は、点灯回路には交流電力を直流電力に変換する回路が含まれる。
【００６２】
（ＬＥＤモジュール）
第１光源体１０のＬＥＤモジュール１４は、筐体１１に収納されている。本実施の形態では、複数のＬＥＤモジュール１４が筐体１１の長手方向に沿って一列に配置されている。複数のＬＥＤモジュール１４は、例えば筐体１１内に配置された長尺状の金属基台の上に一列に載置される。
【００６３】
同様に、第２光源体２０のＬＥＤモジュール２４は、筐体２１に収納されている。本実施の形態では、複数のＬＥＤモジュール２４が筐体２１の長手方向に沿って一列に配置されている。複数のＬＥＤモジュール２４は、ＬＥＤモジュール１４と同様に、例えば筐体２１内に配置された長尺状の金属基台の上に一列に載置される。
【００６４】
ここで、ＬＥＤモジュール１４の詳細な構成について、図３Ａを用いて説明する。図３Ａは、本発明の実施の形態１に係る照明用光源の第１光源体に用いられるＬＥＤモジュールの斜視図である。なお、本実施の形態において、ＬＥＤモジュール１４とＬＥＤモジュール２４とは同じ構成であるので、ＬＥＤモジュール１４についてのみ説明する。
【００６５】
図３Ａに示すように、ＬＥＤモジュール１４は、ＬＥＤチップが基板上に直接実装されたＣＯＢ（Ｃｈｉｐ  Ｏｎ  Ｂｏａｒｄ）型の発光モジュールである。ＬＥＤモジュール１４は、基板１４ａと、複数のＬＥＤ（ベアチップ）１４ｂと、ＬＥＤ１４ｂを封止する封止部材１４ｃと、ＬＥＤモジュール外部からＬＥＤ１４ｂを発光させるための電力を受ける電極端子１４ｄとを備える。
【００６６】
なお、図示しないが、ＬＥＤモジュール１４には、ＬＥＤ１４ｂ同士を電気的に接続するとともにＬＥＤ１４ｂに電力を供給するための金属配線、及び、ＬＥＤ１４ｂと金属配線とを電気的に接続するための金ワイヤ等が設けられている。
【００６７】
基板１４ａは、ＬＥＤ１４ｂを実装するための実装基板である。本実施の形態では、基板１４ａとして、筐体１１の長手方向に長尺状をなす矩形基板を用いている。基板１４ａは、ＬＥＤ１４ｂが実装される面である第１主面と、第１主面とは反対側の面である第２主面とを有する。ＬＥＤ１４ｂは基板１４ａの第１主面にのみ実装されている。
【００６８】
基板１４ａとしては、アルミナや窒化アルミニウム等からなる透光性を有するセラミックス基板、ガラス基板、金属板に絶縁膜が被覆されたメタルベース基板、又は、樹脂からなる樹脂基板等を用いることができる。メタルベース基板としては、例えば、アルミニウム合金基板、鉄合金基板又は銅合金基板等をベース金属板として用いることができる。樹脂基板としては、例えば、ガラスコンポジット基板（ＣＥＭ−３等）、ガラスエポキシ基板（ＦＲ−４等）、紙フェノールや紙エポキシからなる基板（ＦＲ−１等）、又は、ポリイミド等からなる可撓性を有するフレキシブル基板を用いることができる。
【００６９】
ＬＥＤ１４ｂは、発光素子の一例であって、基板１４ａ上に実装される。図３Ａに示すように、基板１４ａには、複数のＬＥＤ１４ｂが基板１４ａの長手方向に沿ってライン状に一列配置されている。各ＬＥＤ１４ｂは、単色の可視光を発するベアチップであり、ダイアタッチ材（ダイボンド材）によって基板１４ａ上にダイボンディングされている。ＬＥＤ１４ｂとしては、例えば通電されると青色光を発光する青色ＬＥＤチップを用いることができる。なお、本実施の形態において、筐体１１内の全てのＬＥＤ１４ｂは同じ光特性を有する。
【００７０】
各ＬＥＤ１４ｂは、金属配線又は金ワイヤ等によって、直列接続、並列接続、又は直列接続と並列接続との組み合わせ接続となるように構成することができる。
【００７１】
封止部材１４ｃは、光波長変換体である蛍光体を含む蛍光体含有樹脂であって、ＬＥＤ１４ｂからの光を所定の波長に波長変換（色変換）するとともに、ＬＥＤ１４ｂを樹脂封止してＬＥＤ１４ｂを保護する。封止部材１４ｃは、基板１４ａ上の全てのＬＥＤ１４ｂを一括封止するようにＬＥＤ１４ｂの配列方向に沿って直線状に形成されている。このように、封止部材１４ｃが個々のＬＥＤ１４ｂを封止するのではなく複数のＬＥＤ１４ｂを一括して封止しているので、隣り合うＬＥＤ１４ｂ間の封止部材１４ｃからも光を放出させることができる。これにより、ＬＥＤ１４ｂの上方のみの輝度が高くなることを抑制することができ、輝点（つぶつぶ感）を低減することができる。
【００７２】
封止部材１４ｃとしては、例えばＬＥＤ１４ｂが青色ＬＥＤである場合、白色光を得るために、ＹＡＧ（イットリウム・アルミニウム・ガーネット）系の黄色蛍光体粒子をシリコーン樹脂に分散させた蛍光体含有樹脂を用いることができる。これにより、黄色蛍光体粒子は青色ＬＥＤチップの青色光によって励起されて黄色光を放出するので、封止部材１４ｃからは、励起された黄色光と青色ＬＥＤチップの青色光とによって白色光が放出される。なお、封止部材１４ｃに、シリカ等の光拡散材も含有させても構わない。
【００７３】
電極端子１４ｄは、ＬＥＤ１４ｂを発光させるための直流電力を受電する外部接続端子である。電極端子１４ｄは、基板１４ａにパターン形成された金属配線と電気的に接続されている。電極端子１４ｄとしては、コネクタ線が装着されるソケット型の端子、又は、所定形状の金属膜からなる端子等である。
【００７４】
（ＬＥＤモジュールの変形例）
また、ＬＥＤモジュール１４及び２４としては、ＣＯＢ構造ではなく、図３Ｂに示すように、表面実装（ＳＭＤ：Ｓｕｒｆａｃｅ  Ｍｏｕｎｔ  Ｄｅｖｉｃｅ）構造のＬＥＤモジュールを用いてもよい。図３Ｂは、本発明の実施の形態１に係る照明用光源に用いられるＬＥＤモジュールの変形例の斜視図である。
【００７５】
図３Ｂに示すように、ＬＥＤモジュール１４Ａは、基板１４ａと、基板１４ａ上に一列に実装された複数のＬＥＤ１４ｅと、電極端子１４ｄとを備える。なお、図示しないが、基板１４ａ上には、所定形状の金属配線が形成されている。金属配線は、ＬＥＤ１４ｅ及び電極端子１４ｄと電気的に接続されている。
【００７６】
各ＬＥＤ１４ｅは、ＬＥＤチップと蛍光体とがパッケージ化された、いわゆるＳＭＤ型のＬＥＤ素子である。各ＬＥＤ１４ｅは、パッケージ１４ｅ１と、パッケージ１４ｅ１に実装されるＬＥＤチップ１４ｅ２と、ＬＥＤチップ１４ｅ２を封止する封止部材１４ｅ３と、ワイヤ等の配線等とを備える。本実施の形態におけるＬＥＤ１４ｅは、白色光を発する白色ＬＥＤ素子である。ＬＥＤ１４ｅは、正極及び負極の２つの外部接続端子を有しており、この外部接続端子は、基板１４ａ上の金属配線と半田付け等によって電気的に接続されている。
【００７７】
パッケージ１４ｅ１は、白色樹脂等の非透光性樹脂で成型された容器であり、例えば逆円錐台形状の凹部（キャビティ）を備える。凹部の内側面は傾斜面となっており、ＬＥＤチップ１４ｅ２からの光を上方に反射させるように構成されている。
【００７８】
ＬＥＤチップ１４ｅ２は、パッケージ１４ｅ１の凹部の底面に実装されている。ＬＥＤチップ１４ｅ２は、上述のＬＥＤ１４ｂと同様のものを用いることができる。
【００７９】
封止部材１４ｅ３は、ＬＥＤチップ１４ｅ２を覆うように、パッケージ１４ｅ１の凹部に充填される。封止部材１４ｅ３は、上述の封止部材１４ｃと同様のものを用いることができる。
【００８０】
以上のようにして、本実施の形態に係る照明用光源１が構成されている。このように、本実施の形態に係る照明用光源１によれば、第１光源体１０の一方の口金（第１口金１２）と第２光源体２０の一方の口金（第１口金２２）とは、照明器具に固定される連結部材３０に取り付けられている。そして、照明用光源１が照明器具に取り付けられた状態において、連結部材３０が照明器具に固定されるとともに、第１光源体１０の第２口金１３及び第２光源体２０の第２口金２３が照明器具に取り付けられる。
【００８１】
つまり、照明用光源１を照明器具に取り付ける場合、第１光源体１０及び第２光源体２０を連結する連結部材３０を照明器具に固定するとともに、第１光源体１０の第２口金１３と第２光源体２０の第２口金２３とを照明器具のソケットに接続する。
【００８２】
これにより、照明用光源１の長手方向における一方端（第２口金１３）と他方端（第２口金２３）とが照明器具に保持されるとともに、照明用光源１の長手方向における中間部が連結部材３０を介して照明器具に保持される。すなわち、照明用光源１は、長手方向の両端部に加えて中間部についても照明器具に保持される。このため、照明用光源１の保持力を向上させることができる。したがって、長尺状であっても撓みを抑制することのできる照明用光源を実現できる。
【００８３】
しかも、本実施の形態において、第１光源体１０及び第２光源体２０の各々は、両端部に口金を有する直管形ＬＥＤランプである。したがって、第１光源体１０及び第２光源体２０を容易に入手することができる。また、電源を入れても第１光源体１０及び第２光源体２０が点灯しなくなったときに、容易にランプ交換を行うことができる。このように、全体としては長尺状の照明用光源１であっても、第１光源体１０及び第２光源体２０を個別にランプ交換を行うことができる。
【００８４】
また、本実施の形態では、第１光源体１０と第２光源体２０とが連結部材３０によって連結されており、照明用光源１の長手方向の両端部だけではなく中間部についても照明器具に接触している。これにより、第１光源体１０及び第２光源体２０で発生する熱を、連結部材３０を介して照明器具に放熱させることができる。したがって、照明用光源１の回路部品が劣化したり、ＬＥＤモジュール１４及び２４のＬＥＤが劣化したりすることを抑制することができる。
【００８５】
この場合、連結部材３０の固定部３２を長尺状に構成することで、放熱効果を向上させることができる。
【００８６】
また、本実施の形態では、連結部材３０に連結される第１口金１２及び２２における一対の第１口金ピン１２ｂ及び２２ｂの長さは、照明器具のソケットに連結される第２口金１３及び２３における一対の第２口金ピン１３ｂ及び２３ｂの長さよりも短くなっている。
【００８７】
これにより、照明用光源１の長手方向における連結部材３０（保持部３１）の幅を短くすることができるので、保持部３１によって遮光される範囲を小さくすることができる。したがって、照明用光源１の配光特性が劣化することを抑制することができる。また、第１口金ピン１２ｂ及び２２ｂと第２口金ピン１３ｂ及び２３ｂの長さを変えることで、上述のとおり、第１光源体１０（第２光源体２０）における第１口金１２（２２）と第２口金１３（２３）とを、誤って逆向きに装着することも防止できる。
【００８８】
また、本実施の形態において、第２光源体２０における第１口金２２の一対の口金ピン２２ｂの間隔は、第１光源体１０における第１口金１２の一対の第１口金ピン１２ｂの間隔よりも狭くなっている。
【００８９】
これにより、上述のように、第１光源体１０における一対の第１口金ピン１２ｂの間に、第２光源体２０における一対の第１口金ピン２２ｂを配置することができるので、保持部３１の幅を容易に狭くすることができる。したがって、保持部３１によって遮光される範囲を小さくすることができるので、照明用光源１の配光特性が劣化することを抑制することができる。なお、本実施の形態とは逆に、第１光源体１０における一対の第１口金ピン１２ｂの間隔の方を、第２光源体２０における一対の第１口金ピン２２ｂの間隔よりも狭くなるように構成してもよい。
【００９０】
（照明装置）
次に、本発明の実施の形態１に係る照明装置２について、図４を用いて説明する。図４は、本発明の実施の形態１に係る照明装置の側面図であり、図１に示す照明用光源１を照明器具に取り付けた場合を示している。
【００９１】
図４に示すように、本実施の形態における照明装置２は、上述の照明用光源１と、照明器具１００とを備える。照明器具１００は、器具本体１１０と、一対のソケット１２１及び１２２とを備える。
【００９２】
器具本体１１０は、例えば天井等に固定具を介して固定されている。また、器具本体１１０には、照明用光源１における連結部材３０の固定部３２が固定される。器具本体１１０と固定部３２とは、図４に示すように、例えば、固定部３２のネジ孔３２ａと器具本体１１０とにネジ１３０をねじ込むことによってネジ止めされている。これにより、第１光源体１０及び第２光源体２０は、連結部材３０によって照明器具１００に保持される。
【００９３】
一対のソケット１２１及び１２２は、器具本体１１０に取り付けられている。ソケット１２１は、第１光源体１０の第２口金１３に給電を行うとともに第２口金１３を保持する。ソケット１２１には、第２口金１３の第２口金ピン１３ｂを係止する係止穴が設けられている。また、ソケット１２２は、第２光源体２０の第２口金２３に給電を行うとともに第２口金２３を保持する。ソケット１２２には、第２口金２３の第２口金ピン２３ｂを係止する係止穴が設けられている。
【００９４】
ソケット１２１に第１光源体１０の第２口金ピン１３ｂを挿入するとともにソケット１２２に第２光源体２０の第２口金ピン２３ｂを挿入することによって、第１光源体１０及び第２光源体２０が第２口金１３及び２３を介して照明器具１００（ソケット１２１及び１２２）に保持される。
【００９５】
なお、照明器具１００には、照明用光源１を覆うように透光性のカバー部材が設けられていてもよい。
【００９６】
以上、本実施の形態に係る照明装置２によれば、上述のように、照明用光源１の長手方向における一方端（第２口金１３）と他方端（第２口金２３）とが照明器具に保持される。また、照明用光源１の長手方向における中間部が連結部材３０を介して照明器具に保持される。これにより、照明用光源１が長尺状であっても、撓みが発生することを抑制できる。
【００９７】
また、上述のとおり、第１光源体１０及び第２光源体２０は直管形ＬＥＤランプである。したがって、電源を入れても第１光源体１０又は第２光源体２０が点灯しなくなった場合でも、連結部材３０を照明器具１００から取り外すことなく、第１光源体１０又は第２光源体２０を個別にランプ交換を行うことができる。
【００９８】
（実施の形態２）
次に、本発明の実施の形態２に係る照明用光源１Ａ及び照明装置２Ａについて、図５を用いて説明する。図５（ａ）は、本発明の実施の形態２に係る照明用光源の側面図であり、図５（ｂ）は、本発明の実施の形態２に係る照明装置の側面図である。なお、図５（ｂ）は、図５（ａ）に示す照明用光源１Ａを照明器具１００に取り付けた状態を示している。
【００９９】
本実施の形態における照明用光源１Ａが上記実施の形態１における照明用光源１と異なる点は、第１光源体１０における第１口金１２Ａ及び第２口金１３Ａの構成と、第２光源体２０における第１口金２２Ａ及び第２口金２３Ａの構成と、連結部材３０Ａにおける保持部３１Ａの構成である。
【０１００】
本実施の形態では、第１光源体１０及び第２光源体２０の各々において、一方の端部の口金と他方の端部の口金とが異なる形状となっている。つまり、第１光源体１０において、第１口金１２Ａの形状と第２口金１３Ａの形状とが異なっている。また、第２光源体２０において、第１口金１２Ａの形状と第２口金１３Ａの形状とが異なっている。
【０１０１】
また、本実施の形態では、図５（ａ）に示すように、長さＬ３０と長さＬ１３とが略等しくなるように構成されている。つまり、第１光源体１０の第１口金１２Ａの第１口金本体１２ａＡと、第２光源体２０の第１口金２２Ａの第１口金本体２２ａＡと、連結部材３０Ａの保持部３１Ａとを合わせたときのＸ軸方向における合計の長さＬ３０が、第１光源体１０の第２口金１３Ａの第２口金本体１３ａＡのＸ軸方向の長さＬ１３と略等しくなっている。
【０１０２】
同様に、長さＬ３０と長さＬ２３とが略等しくなるように構成されている。つまり、上記長さＬ３０は、第２光源体２０の第２口金２３Ａの第２口金本体２３ａＡのＸ軸方向の長さＬ２３と略等しくなっている。
【０１０３】
より具体的には、第１口金１２Ａと第１口金２２Ａと保持部３１Ａとを合わせたときの形状（連結部材３０周辺の形状）が、第２口金１３Ａの形状及び第２口金２３Ａの形状と同じになるように構成されている。
【０１０４】
本実施の形態では、第２口金１３Ａと第２口金２３Ａとが円筒形状であるので、第１口金１２Ａと第１口金２２Ａと保持部３１Ａとを合わせたときの形状も円筒形状である。この場合、図５（ａ）に示すように、保持部３１Ａは、側面形状が逆二等辺三角形となるように構成されており、また、第１口金１２Ａの第１口金本体１２ａＡ及び第１口金２２Ａの第１口金本体２２ａＡのそれぞれは、側面形状が上記二等辺三角形の等しい二辺に対して斜面が対面するような直角三角形となるように構成されている。
【０１０５】
このように構成される照明用光源１Ａは、図５（ｂ）に示すように、照明器具１００に装着されることで、照明装置２Ａとして実現できる。
【０１０６】
以上、本実施の形態に係る照明用光源１Ａ及び照明装置２Ａによれば、第１光源体１０及び第２光源体２０において、第１口金１２Ａ（２２Ａ）の形状と第２口金１３Ａ（２３Ａ）の形状とが異なっている。具体的には、第１光源体１０では、第１口金本体１２ａＡと第２口金本体１３ａＡとで口金形状が異なるように構成される。同様に、第２光源体２０では、第１口金本体２２ａＡと第２口金本体２３ａＡとで口金形状が異なるように構成される。
【０１０７】
これにより、ユーザが、第１光源体１０（第２光源体２０）における第１口金１２Ａ（２２Ａ）と第２口金１３Ａ（２３Ａ）とを照明器具に装着する際に、誤って逆向きに装着することを防止することができる。
【０１０８】
また、本実施の形態では、長さＬ３０が長さＬ１３及び長さＬ２３と略等しくなるように構成されている。これにより、連結部材３０の周辺構造を目立ちにくくすることができるので、連結部材３０の存在を感じにくくすることができる。また、連結部材３０による遮光の影響を緩和することもできる。
【０１０９】
また、本実施の形態では、第１光源体１０の第１口金本体１２ａＡと第２光源体２０の第１口金本体２２ａＡとが同じ形状となっており、第１光源体１０の第２口金本体１３ａＡと第２光源体２０の第２口金本体２３ａＡとが同じ形状となっている。すなわち、第１光源体１０及び第２光源体２０の各光源体で左右の口金形状は異なっているが、一方同士及び他方同士で口金形状が同じになっているので、第１光源体１０と第２光源体２０とは全体で同じ形状になっている。したがって、第１光源体１０と第２光源体２０とを照明器具１００に装着する際、第１光源体１０の装着部分に第２光源体２０を装着してもよいし、第２光源体２０の装着部分に第１光源体１０を装着してもよい。これにより、交換用ランプを１種類とすることができる。
【０１１０】
なお、本実施の形態において、第１口金本体１２ａＡ及び２２ａＡと保持部３１Ａとは、側面形状が三角形の組み合わせによって構成したが、四角形等のその他の形状の組み合わせによって構成しても構わない。
【０１１１】
（変形例）
以上、本発明に係る照明用光源及び照明装置について、実施の形態１、２に基づいて説明したが、本発明は、上記の実施の形態１、２に限定されるものではない。以下、本発明の変形例について説明する。
【０１１２】
（連結部材の変形例）
上記の実施の形態１、２では、連結部材３０は、連結機能、保持機能及び放熱機能を有することについて説明したが、これに限らない。
【０１１３】
図６に示すように、連結部材３０の保持部３１に、連結機能、保持機能及び放熱機能以外の機能部３３を設けてもよい。機能部３３は、例えば、人感センサとすることができる。人感センサを設けることによって、人の存在を検知して照明用光源１の点灯及び消灯を制御することができる。また、機能部３３として、非常灯のために常時発光するＬＥＤを設けても構わない。
【０１１４】
（光源体の変形例）
次に、上記の実施の形態１及び２に係る照明用光源１及び１Ａに用いられる第１光源体１０及び第２光源体２０の変形例について説明する。上記の各実施の形態において、第１光源体１０の筐体１１及び第２光源体２０の筐体２１は、非分割型の筒状のものを用いたが、図７に示すように、分割型としてもよい。図７は、本発明の他の実施の形態に係る照明用光源に用いられる第１光源体及び第２光源体の全体斜視図及び一部拡大図である。なお、以下においては、第１光源体の構成について説明するが、第２光源体についても同様の構成である。
【０１１５】
図７に示すように、本変形例における第１光源体１０Ａは、ＬＥＤモジュール１４Ａと、ＬＥＤモジュール１４Ａを覆う長尺状の透光性カバー１１Ａと、ＬＥＤモジュール１４Ａが載置される長尺状の基台１５と、第１口金１２と、第２口金１３とを備える。
【０１１６】
本変形例では、透光性カバー１１Ａと基台１５とによって長尺筒状の筐体（外郭部材）が構成されている。つまり、透光性カバー１１Ａと基台１５とを組み合わせることによって、両端部に開口を有する円筒状の筐体が構成される。第１口金１２及び１３は、この筐体の開口を塞ぐように設けられている。また、この筐体内には、複数のＬＥＤモジュール１４Ａが収納されている。
【０１１７】
透光性カバー１１Ａは、略半円筒状の透光性を有するカバー部材である。透光性カバー１１Ａは、長尺円筒の一部をその長手方向（ランプの管軸方向と平行な方向）に沿って切り欠いて形成された主開口を有する切り欠き円筒部材から構成される。
【０１１８】
また、透光性カバー１１Ａの内面及び外面の輪郭形状は、長手方向から見たとき（透光性カバー１１Ａの長手方向を法線とする平面で切断したときの断面視）において、真円のリングの一部が切り欠かれた形状となっている。
【０１１９】
透光性カバー１１Ａは、周方向の両側の縁部が基台１５の段差部に係合されることにより、基台１５に固定されている。なお、透光性カバー１１Ａは、例えば、アクリルやポリカーボネート等の樹脂材料又はガラス材料を用いて構成することができる。また、筐体１１と同様に、透光性カバー１１Ａに光拡散機能を持たせてもよい。
【０１２０】
基台１５は、ＬＥＤモジュール１４Ａを保持（支持）するための支持基台である。また、基台１５は、ＬＥＤモジュール１４Ａで発生する熱を放熱するヒートシンク（放熱体）でもある。したがって、基台１５は金属等の高熱伝導性材料によって構成することが好ましい。本変形例における基台１５は、アルミニウムの押出材からなる金属基台である。
【０１２１】
基台１５は、長尺状部材であって、基台１５には複数のＬＥＤモジュール１４Ａが載置及び固定される。ＬＥＤモジュール１４Ａと基台１５とは、例えば接着剤等によって固着することができる。基台１５は、透光性カバー１１Ａの主開口を塞ぐようにして透光性カバー１１Ａと一体化される。
【０１２２】
また、基台１５の一部はランプ外部に露出する構成となっている。これにより、基台１５からランプ外部に直接放熱させることができる。なお、基台１５として、樹脂からなる樹脂基台を用いてもよい。
【０１２３】
基台１５の透光性カバー１１Ａ側の内側部分は、ＬＥＤモジュール１４を載置する載置面を有する板状の載置部１５ａとなっている。本変形例において、基台１５の載置部１５ａの載置面は、長尺状の矩形平面である。また、基台１５の載置面の背面である外側部分には、放熱部として複数の放熱フィン１５ｂが設けられている。放熱フィン１５ｂは、ランプ外部に露出しており、載置部１５ａからランプ外方に突出するように設けられている。放熱フィン１５ｂは、基台１５の長手方向（Ｘ軸方向）に沿って複数枚形成されている。なお、放熱フィン１５ｂは、基台１５の短手方向（Ｙ軸方向）に沿って複数枚形成されていてもよい。
【０１２４】
さらに、基台１５の幅方向の両端部には、透光性カバー１１Ａの周方向の両側の縁部が係合される段差部が設けられている。透光性カバー１１Ａと基台１５とは、透光性カバー１１Ａを長手方向に基台１５にスライドさせることで又は透光性カバー１１Ａを基台１５の上から嵌め込むことで係合させることができる。なお、透光性カバー１１Ａと基台１５とは、接着剤によって接着されていてもよい。
【０１２５】
なお、本変形例では、図３Ｂに示すＬＥＤモジュール１４Ａを用いたが、図３Ａに示すＬＥＤモジュール１４を用いても構わない。
【０１２６】
（その他の変形例）
なお、本発明は、上記の実施の形態１、２及び変形例に限定されるものではない。
【０１２７】
例えば、上記の実施の形態１、２及び変形例において、照明用光源１、１Ａは、第１光源体１０と第２光源体２０の２つの光源体を用いたが、３つ以上の複数の光源体を用いても構わない。この場合、隣り合う光源体同士を連結部材３０によって連結することによって長尺状の照明用光源を作製することができる。
【０１２８】
また、上記の実施の形態１、２及び変形例において、第１口金１２及び２２と連結部材３０とは第１口金ピン１２ｂ及び２２ｂを介して連結したが、口金ピン以外の構成で連結しても構わない。例えば、第１口金１２（１２Ａ）及び２２（２２Ａ）に接続部を設けて、当該接続部を連結部材３０（３０Ａ）に接続するように構成してもよい。当該接続部は、第１口金本体１２ａ（１２ａＡ）及び２２ａ（２２ａＡ）と一体的に構成されていてもよい。また、第１口金１２（１２Ａ）及び２２（２２Ａ）が非給電用口金である場合は、金属以外の材料（例えば樹脂等）を用いて第１口金１２（１２Ａ）及び２２（２２Ａ）と連結部材３０とを連結してもよい。
【０１２９】
また、上記の実施の形態１、２及び変形例において、非給電用口金の第１口金１２（１２Ａ）及び２２（２２Ａ）には、一対の第１口金ピン１２ｂ及び２２ｂ（２本のピン）を設けたが、これに限らない。非給電用の第１口金ピン１２ｂ及び２２ｂは保持用のピンであるので、例えばＴ字形の１本のピンであっても構わない。
【０１３０】
また、上記の実施の形態１、２及び変形例において、第１口金１２（１２Ａ）及び２２（２２Ａ）と第２口金１３（１３Ａ）及び２３（２３Ａ）とは、いずれも分割されていない非分割型の口金としたが、各口金が複数に分割された（例えば２分割された）構造である分割型の口金としても構わない。
【０１３１】
また、上記の実施の形態及び変形例において、給電用口金である第２口金１３（１３Ａ）及び２３（２３Ａ）の第２口金ピン１３ｂ及び２３ｂは、Ｇ１３口金に対応する構造としたが、一対のＬ字の口金ピンを有するＬ形口金としても構わない。
【０１３２】
また、上記の実施の形態１、２及び変形例において、ＬＥＤモジュールは、青色ＬＥＤチップと黄色蛍光体とによって白色光を放出するように構成したが、これに限らない。例えば、演色性を高めるために、黄色蛍光体に加えて、さらに赤色蛍光体や緑色蛍光体を混ぜても構わない。また、黄色蛍光体を用いずに、赤色蛍光体及び緑色蛍光体を含有する蛍光体含有樹脂を用いて、これと青色ＬＥＤチップとを組み合わせることによりに白色光を放出するように構成することもできる。
【０１３３】
また、上記の実施の形態１、２及び変形例において、ＬＥＤチップは、青色以外の色を発光するＬＥＤチップを用いても構わない。例えば、紫外線発光のＬＥＤチップを用いる場合、蛍光体粒子としては、三原色（赤色、緑色、青色）に発光する各色蛍光体粒子を組み合わせたものを用いることができる。さらに、蛍光体粒子以外の波長変換材を用いてもよく、例えば、波長変換材として、半導体、金属錯体、有機染料、顔料など、ある波長の光を吸収し、吸収した光とは異なる波長の光を発する物質を含んでいる材料を用いてもよい。
【０１３４】
また、上記の実施の形態１、２及び変形例において、発光素子としてＬＥＤを例示したが、半導体レーザ等の半導体発光素子、有機ＥＬ（Ｅｌｅｃｔｒｏ  Ｌｕｍｉｎｅｓｃｅｎｃｅ）又は無機ＥＬ等の固体発光素子、あるいは、その他の発光素子を用いてもよい。
【０１３５】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【産業上の利用可能性】
【０１３６】
本発明は、ＬＥＤ等の発光素子を用いた照明用光源、特に長尺状の照明用光源及びこれを備えた照明装置等として広く利用することができる。
【符号の説明】
【０１３７】
１、１Ａ  照明用光源
２、２Ａ  照明装置
１０、１０Ａ  第１光源体
１１、２１  筐体
１１Ａ  透光性カバー
１２、１２Ａ、２２、２２Ａ  第１口金
１２ａ、１２ａＡ、２２ａ、２２ａＡ  第１口金本体
１２ｂ、２２ｂ  第１口金ピン
１３、１３Ａ、２３、２３Ａ  第２口金
１３ａ、１３ａＡ、２３ａ、２３ａＡ  第２口金本体
１３ｂ、２３ｂ  第２口金ピン
１４、１４Ａ、２４  ＬＥＤモジュール
１４ａ  基板
１４ｂ、１４ｅ  ＬＥＤ
１４ｃ、１４ｅ３  封止部材
１４ｄ  電極端子
１４ｅ１  パッケージ
１４ｅ２  ＬＥＤチップ
１５  基台
１５ａ  載置部
１５ｂ  放熱フィン
２０  第２光源体
３０、３０Ａ  連結部材
３１、３１Ａ  保持部
３２  固定部
３２ａ  ネジ孔
３３  機能部
１００  照明器具
１１０  器具本体
１２１、１２２  ソケット
１３０  ネジ
【図１】
2014110229.tif 000003
【図２】
2014110229.tif 000004
【図３Ａ】
2014110229.tif 000005
【図３Ｂ】
2014110229.tif 000006
【図４】
2014110229.tif 000007
【図５】
2014110229.tif 000008
【図６】
2014110229.tif 000009
【図７】
2014110229.tif 000010